(57)【要約】      （修正有）【課題】枕に二種類の異なる感触及び機能等備えさせることにより、これを適宜使用者が選択して使い分けることを可能とし、もって使用者に快適な睡眠を提供することにある。【解決手段】枕本体１の内部に仕切り２が設けられて表裏二層構造に構成されてなる。各層に充填される充填材３，４が異なる素材で構成され、例えば発泡ビーズ、ストローパイプ、エステル綿、ウレタンチップ、籐のチップなどからなる。【選択図】図３
0003141968.tif 000002
【実用新案登録請求の範囲】
【請求項１】
枕本体の内部に仕切りが設けられて表裏二層構造に構成されてなることを特徴とする枕。
【請求項２】
前記各層に充填される充填材が異なる素材で構成されてなることを特徴とする請求項１に記載の枕。
【請求項３】
前記一方の充填材が発泡ビーズからなることを特徴とする請求項２に記載の枕。
【請求項４】
前記他方の充填材がストローパイプからなる請求項３に記載の枕。
【請求項５】
前記他方の充填材がエステル綿からなる請求項３に記載の枕。
【請求項６】
前記他方の充填材がウレタンチップからなる請求項３に記載の枕。
【請求項７】
前記他方の充填材が籐のチップからなる請求項３に記載の枕。
【請求項８】
前記充填材の少なくとも一方にマイナスイオン処理が施されてなる請求項２に記載の枕。
【請求項９】
前記充填材の少なくとも一方に竹炭を含有してなる請求項３に記載の枕。
【請求項１０】
前記他方の充填材が充填される枕本体の一方の面が網状体で構成されてなる請求項３乃至９の何れかに記載の枕。
【請求項１１】
前記枕本体に充填材の移動規制手段が設けられてなる請求項２乃至１０の何れかに記載の枕。
【請求項１２】
前記移動規制手段が、枕本体及び仕切りを縫い付けた線状の縫付け部である請求項１１に記載の枕。
【考案の詳細な説明】
【技術分野】
【０００１】
本考案は、快適な睡眠を提供することのできる枕に関する。
【背景技術】
【０００２】
近年の健康ブームにより、一般生活における睡眠の重要性が見直されており、これに基いて素材や形状等に種々の工夫を凝らした多種多様の枕が開発される至っている（特許文献１）。
【０００３】
例えば、従来の枕としては図５に示すようなものが存在する。即ち、この従来のものは粒状又は粉末状活性炭からなるビーズ体１０と、これを通気可能な状態で侵入抱持可能な中空部を備えた多数のビーズ体１１とを混合して充填材を構成し、これを通気性の袋体１２内に充填したものである。
【特許文献１】特開平１０−０００１４５号公報
【考案の開示】
【考案が解決しようとする課題】
【０００４】
しかしながら、前記従来の枕は、充填材を二種のビーズ体１０，１１を混合したもので構成してなるために、表裏何れの面を使用しても使用者は一種類の感触及び機能等しか得ることができないという問題点があった。
【０００５】
また、粒状又は粉末状のビーズ体１０，１１は流動性を有するので、これを単に袋体１２に充填した前記従来の枕では、使用時においてビーズ体１０，１１が自由に流動するために、安定感に欠けるという使用上の難点も有していたのである。
【０００６】
本考案は、前記従来の問題点を解決すべくなされたものであり、枕に二種類の異なる感触及び機能等を備えさせることにより、これらを適宜使用者が選択して使い分けることを可能とし、もって使用者に快適な睡眠を提供することを目的としている。
【課題を解決するための手段】
【０００７】
前記課題を解決するために本考案の請求項１に記載した考案は、枕本体の内部に仕切りが設けられて表裏二層構造に構成されてなることを特徴とする。
【０００８】
請求項１記載の枕は、例えば枕本体に形成された各層に感触や機能等の異なる二種類の充填材を夫々充填して使用することができる。
【０００９】
請求項２記載の枕は、請求項１記載の枕において、前記各層に充填される充填材が異なる素材で構成されてなることを特徴とする。
【００１０】
請求項２記載の枕は、使用者が枕本体の表裏何れかの面を適宜選択し、この面に頭部をのせて睡眠をとることになる。
【００１１】
請求項３記載の枕は、請求項２記載の枕において、前記一方の充填材が発泡ビーズからなることを特徴とする。
【００１２】
請求項３記載の枕は、使用者が発泡ビーズが充填された枕本体の面を適宜選択し、この面に頭部をのせて睡眠をとることができる。
【００１３】
請求項４記載の枕は、請求項３に記載の枕において、前記他方の充填材がストローパイプからなることを特徴とする。
【００１４】
請求項４記載の枕においては、使用者が発泡ビーズが充填された枕本体の面またはストローパイプを充填した枕本体の面を適宜選択し、使用者の好みの触感の面に頭部をのせて睡眠をとることができる。
【００１５】
請求項５記載の枕は、請求項３に記載の枕において、前記他方の充填材がエステル綿からなることを特徴とする。
【００１６】
請求項５記載の枕においては、使用者が発泡ビーズが充填された枕本体の面またはエステル綿を充填した枕本体の面を適宜選択できるので、その時々の使用者の好みの触感または季節によって使い分けを行って睡眠をとることができる。
【００１７】
請求項６記載の枕は、請求項３に記載の枕において、前記他方の充填材がウレタンチップからなることを特徴とする。
【００１８】
請求項６記載の枕においては、使用者が発泡ビーズが充填された枕本体の面またはウレタンチップを充填した枕本体の面を適宜選択できるので、その時々の使用者の好みの触感または季節によって使い分けを行って睡眠をとることができる。
【００１９】
請求項７記載の枕は、請求項３に記載の枕において、前記他方の充填材が籐のチップからなることを特徴とする。
【００２０】
請求項７記載の枕においては、使用者が発泡ビーズが充填された枕本体の面または籐のチップを充填した枕本体の面を適宜選択できるので、その時々の使用者の好みの触感または季節によって使い分けを行って睡眠をとることができる。
【００２１】
請求項８記載の枕は、請求項２に記載の枕において、前記充填材の少なくとも一方にマイナスイオン処理が施されてなることを特徴とする。
【００２２】
請求項８記載の枕においては、枕本体の一面に頭部をのせて睡眠をとった場合は、充填材からマイナスイオンが発せられることになる。
【００２３】
請求項９記載の枕は、請求項３に記載の枕において、前記充填材の少なくとも一方に竹炭を含有してなることを特徴とする。
【００２４】
請求項９記載の枕においては、枕本体の一面に頭部をのせて睡眠をとった場合は、竹炭が有する種々の効果を得ることができる。
【００２５】
請求項１０記載の枕は、請求項３乃至９の何れかに記載の枕において、前記他方の充填材が充填される枕本体の一方の面が網状体で構成されてなることを特徴とする。
【００２６】
請求項１０記載の枕においては、網状体を介して枕本体の内部と外部との通気がより良好に行われることとなり、枕本体の内部の熱が適切に外部へ放散され、夏季に使用する際には好適に睡眠をとることができる。
【００２７】
請求項１１記載の枕は、請求項２乃至１０の何れかに記載の枕において、前記枕本体に充填材の移動規制手段が設けられてなることを特徴とする。
【００２８】
請求項１１記載の枕においては、枕本体に頭部をのせると、その重みにより充填材は押圧力を受けて周囲に移動することになるが、充填材は移動規制手段により自由な移動が規制されることになって、充填材が極端に偏って型くずれせずに好適な形態を維持することができる。
【００２９】
請求項１２記載の枕は、請求項１１に記載の枕において、前記移動規制手段が、枕本体及び仕切りを縫い付けた線状の縫付け部であることを特徴とする。
【００３０】
請求項１２記載の枕においては、枕本体に頭部をのせると、その重みにより充填材は押圧力を受けて周囲に移動することになるが、充填材は移動規制手段としての縫い付け部により自由な移動が規制されることになって、充填材が極端に偏って型くずれせずに好適な形態を維持することができる。
【考案の効果】
【００３１】
請求項１に記載の枕は、枕本体の内部に仕切りが設けられて表裏二層構造に構成されてなるために、枕本体の内部に形成された各層に異種の充填材を充填することが可能となる。従って、使用者が所望する異種の充填材を任意に組み合わせることにより、異なる感触、機能等を有する枕を容易に得ることができるという効果を奏する。
【００３２】
請求項２記載の枕は、枕本体の各層に充填される充填材が異なる素材で構成されてなるために、使用者は枕の表裏面を適宜使い分けることにより、二種類の異なる感触、機能等を得られる結果、快眠の便に供し得るという効果がある。
【００３３】
請求項３に記載の枕は、一方の充填材が発泡ビーズからなるために、保温性に優れた発泡ビーズと、それとは異なる他方の充填材を任意に選択することにより快適な睡眠を取ることが可能になるという効果があり、また、季節に応じて好適な面を使用することもできる。
【００３４】
請求項４に記載の枕は、一方の充填材がストローパイプからなるために、通気性等に優れたストローパイプと、それとは異なる他方の充填材を任意に選択することにより快適な睡眠を取ることが可能になるという効果があり、また、季節に応じて好適な面を使用することもできる。
【００３５】
請求項５に記載の枕は、一方の充填材がエステル綿からなるために、柔軟性等に優れたエステル綿と、それとは異なる他方の充填材を任意に選択することにより快適な睡眠を取ることが可能になるという効果があり、また、季節に応じて好適な面を使用することもできる。
【００３６】
請求項６に記載の枕は、一方の充填材がウレタンチップからなるために、柔軟性および通気性に優れたウレタンチップと、それとは異なる他方の充填材を任意に選択することにより快適な睡眠を取ることが可能になるという効果があり、また、季節に応じて好適な面を使用することもできる。
【００３７】
請求項７に記載の枕は、一方の充填材が籐のチップからなるために、通気性等に優れたウレタンチップと、それとは異なる他方の充填材を任意に選択することにより快適な睡眠を取ることが可能になるという効果があり、また、季節に応じて好適な面を使用することもできる。
【００３８】
請求項８記載の枕は、請求項２に記載の枕において、前記充填材の少なくとも一方にマイナスイオン処理が施されているために、睡眠中使用者は常時マイナスイオンを取り入れることが可能となり、これにより血流が良くなるばかりではなく、副交感神経の働きが活発になって心身がリラックスできる結果、熟睡できるのは勿論、朝の目覚めも良くなるという安眠効果が得られる。その他、マイナスイオンは生体機能を高めたり、人間が本来持っている自然治癒力も高める等の種々の効果をもたらす。
【００３９】
請求項９記載の枕は、請求項３に記載の枕において、前記充填材の少なくとも一方に竹炭を含有しているので、竹炭の有する前記マイナスイオン効果の他に、遠赤効果、脱臭効果、保湿・保水効果、温度調節効果、防ダニ効果等という所謂竹炭効果を得ることができる。具体的には、例えば竹炭が発生する、マイナスイオンの空気浄化作用と遠赤外線効果で血液が集中する首筋の血行が促進され、弱アルカリ性体質へと改善促進される。とりわけ枕の周辺が眠り易い質の空気に変わって安眠をもたらすことになる。
【００４０】
請求項１０記載の枕は、請求項３乃至９の何れかに記載の枕において、前記他方の充填材が充填される枕本体の一方の面が網状体で構成されているので、充填材自身が有する通気性が損なわれることなく、枕本体内部の熱は外部に拡散されるという良好な放熱機能を有し、例えば気温の高い日でも快適な睡眠をとり得るという効果がある。
【００４１】
請求項１１記載の枕は、請求項２乃至１０の何れかに記載の枕において、前記枕本体に充填材の移動規制手段が設けられているので、自由な充填材の移動が規制させることとなり、よって安定感に欠けるという、流動性を備えた充填材が有する特有の欠点が解消されて、頭部は安定した状態で保持される結果、快適な睡眠をとることが可能になるという効果がある。
【００４２】
請求項１２記載の枕は、請求項１１に記載の枕において、前記移動規制手段が、枕本体及び仕切りを縫い付けた線状の縫付け部であるので、その構成が極めて簡易であるという実用的な利点を有有するとともに、またかかる縫い付け部に頭部を位置させることにより、睡眠時における頭部の安定性が増すために、良好な睡眠を得ることが可能になる効果もある。
【考案を実施するための最良の形態】
【００４３】
本考案に係る枕を実施するための最良の形態を図面に基づいて具体的に説明する。図１は、本考案に係る枕の一実施形態を示す斜視図であり、図２は、同平面図であり、図３は、図２のＡ−Ａ線断面図であり、図４は、図２のＢ−Ｂ線断面図であり、図５は、図２のＣ−Ｃ線断面図である。
【００４４】
図１において、１は内部に布製の仕切り２を設けて図２のように表裏二層構造に形成した平面略長方形状の布製枕本体を示す。
【００４５】
図２及び図３において、３は枕本体１の一方の層に多数充填した図４（ａ）の如き球状の発泡ビーズで、ポリエチレン等の合成樹脂からなり、マイナスイオン処理が施されている。４は枕本体１の他方の層に多数充填した図４（ｂ）の如きストローパイプで、ポリエチレン等の合成樹脂からなり、マイナスイオン処理が施されている。尚、ストローパイプ４が充填される前記枕本体１の他方側の面は網状体５で構成している。
【００４６】
６は充填材としての発泡ビーズ３及びストローパイプ４が枕本体1内を自由に移動するのを規制するための移動規制手段で、枕本体１及び仕切り２を一体的に縫い付けた線状の縫い付け部で構成しており、略中央に長手方向に沿って設けられている。
【００４７】
本実施形態は以上のような構成からなるが、その使用に際しては通常枕本体１の表裏何れかの面を上側にし、これに頭部をのせて睡眠をとることになる。
【００４８】
この場合において、表裏二層構造からなる枕本体１の各層には異なる素材の充填材を夫々充填しているために、使用者が適宜使用面を選択して睡眠をとることが可能になる。具体的には例えば、晩秋から初春にかけての比較的気温が低い季節においては、発泡ビーズ３を充填した枕本体１の一方の面を使用すると、発泡ビーズ３が有する保温性によって体温で枕自体も人肌に温まることになり、適度な温度が確保されて快適な睡眠の便に供し得る。
【００４９】
一方、晩秋から初秋にかけての比較的気温が高い季節にあっては、ストローパイプ４を充填した枕本体１の他方の面を使用すると、ストローパイプ４の優れた通気性により枕本体１内に熱がこもることがなくなり、最適な睡眠環境を得ることができる。特に、ストローパイプ４側の面は網状体５で構成しているために、ストローパイプ４の通気性が損なわれることなく、内部と外部との空気の流通が良好に行われる。即ち、夏冬両用の枕として使用できるのである。
【００５０】
また、発泡ビーズ３側を使用する場合、頭部から押圧力を受けた発泡ビーズ３の一部は人の動きに応じて柔軟に形状を変えてぴったりとフィットした状態で頭部を支持する一方で、一部の発泡ビーズ３は枕本体１内を移動することになるが、枕本体１には縫い付け部６が設けられてなるため、これに沿って発泡ビーズ３は移動し、その自由な移動は規制させることになる。これにより、安定感に欠けるという、流動性を備えた発泡ビーズ特有の欠点が良好に解消されて、頭部は安定した状態で保持される結果、快適に睡眠をとることができる。
【００５１】
また、枕本体１の略中央部に設けられた縫い付け部６上に頭部を位置させれば、凹状となるこの縫い付け部６により、睡眠時における頭部の安定性が増すために、良好な睡眠を得ることが可能になるという利点がある。
【００５２】
一方、ストローパイプ４側を使用する場合、頭部から押圧力を受けたストローパイプ４の一部は人の動きに応じて柔軟に形状を変えて頭部を支持する一方で、一部のストローパイプ４は枕本体１内を移動することになるが、この場合も前記発泡ビーズ３の場合と同様に縫い付け部６により自由な移動は規制されるので、頭部は安定した状態で保持されて、快適な睡眠をとることができる。
【００５３】
また、発泡ビーズ３及びストローパイプ４にはマイナスイオン処理が施されてなるために、睡眠中使用者は常時マイナスイオンを取り入れることが可能となり、これにより血流が良くなるばかりではなく、副交感神経の働きが活発になって心身がリラックスできる結果、熟睡できるのは勿論、朝の目覚めも良くなるという安眠効果が得られる。その他、マイナスイオンは生体機能を高めたり、人間が本来持っている自然治癒力も高める等の種々の効果をもたらす。
【００５４】
尚、発泡ビーズ３は竹炭を含有させて構成することも可能である。このように構成すると、前記の如きマイナスイオン効果の他に、遠赤効果、脱臭効果、保湿・保水効果、温度調節効果、防ダニ効果等という所謂竹炭効果を得ることができる。具体的には、例えば竹炭が発生する、マイナスイオンの空気浄化作用と遠赤外線効果で血液が集中する首筋の血行が促進され、弱アルカリ性体質へと改善促進される。とりわけ枕の周辺が眠り易い質の空気に変わって安眠をもたらすことになる。
【００５５】
また、本実施形態に係る枕は全体の構成が非常に簡易であるために、その製作も安価に且つ容易に行うことができる。
【００５６】
尚、前記実施形態においては、枕本体１を平面略長方形状に形成したが、かかる枕本体１の形状は決してこれに限定されるものでなく、例えば平面略正方形状等に形成することも可能である。
【００５７】
また、充填材の種類も、前記ストローパイプに替えて、例えば、エステル綿、ウレタンチップ又は籐のチップとしてもよく、さらに、前記のものに限定されず、種々の感触、機能等を備えた二種類を任意に選択して枕本体１の各層に夫々充填することが可能である。
【００５８】
更に、前記実施形態では枕本体１の他方の面を網状体５で構成しているが、かかる枕本体１は充填材の種類等に応じて適宜最適なもので構成すればよく、任意に変更することができる。
【００５９】
また、充填材の移動規制手段を前記実施形態では縫い付け部６で構成したが、その具体的な構成も問わない。尚、前記実施形態のように移動規制手段を構成する場合、縫い付け部６の数は枕本体１の大きさや形状等に応じて任意な変更が可能である。
【図面の簡単な説明】
【００６０】
【図１】本考案に係る枕の一実施形態を示す斜視図である。
【図２】本考案に係る枕の一実施形態を示す平面図である。
【図３】本考案に係る枕の一実施形態を示し、図２のＡ−Ａ線断面図である。
【図４】本考案に係る枕の一実施形態を示し、図２のＢ−Ｂ線断面図である。
【図５】本考案に係る枕の一実施形態を示し、図２のＣ−Ｃ線断面図である。
【図６】本考案に係る枕の充填材の一実施形態を示し、(ａ）は斜視図、（ｂ）は斜視図である。
【図７】従来の枕（特許文献１）を示す斜視図である。
【符号の説明】
【００６１】
１    枕本体
２    仕切り
３    発泡ビーズ
４    ストローパイプ
５    網状体
６    縫い付け部
【図１】
0003141968.tif 000003
【図２】
0003141968.tif 000004
【図３】
0003141968.tif 000005
【図４】
0003141968.tif 000006
【図５】
0003141968.tif 000007
【図６】
0003141968.tif 000008
【図７】
0003141968.tif 000009